(57)【特許請求の範囲】
【請求項１】
全体の設備機器が管理レベルの異なる複数の設備機器で構成され、前記個々の設備機器に対応するユニークなコード情報が、前記各々の管理レベルに対応する階層ごとのコードの１つ以上の組み合わせの形態で管理された機器コード記憶手段と、
前記全体の設備機器に関する設備情報が、前記各管理レベルの中であらかじめ決められた第１の管理レベルの設備機器ごとの設備情報として保存されている設備情報記憶手段と、
前記全体の設備機器に関する図面情報が前記各管理レベルの中であらかじめ決められた第２の管理レベルの設備機器ごとの図面情報として保存されている設備図面情報記憶手段と、
前記設備情報の検索条件として前記階層ごとのコードを入力させる入力装置と、
前記入力された階層ごとのコードをプッシュダウンスタック方式にて記憶・読み出し可能な機能間連携情報記憶手段と、
前記機能間連携情報記憶手段から階層ごとのコードを読み出して前記第１の管理レベルに応じて組み合わせた機器コードに基づき、前記設備情報記憶手段から該当する前記設備情報を検索する設備情報検索登録手段と、
前記機能間連携情報記憶手段から階層ごとのコードを読み出して前記第２の管理レベルに応じて組み合わせた機器コードに基づき、前記図面情報記憶手段から該当する前記図面情報を検索する設備図面検索登録手段と
を具備することを特徴とする設備保守業務支援装置。
【請求項２】
前記機能間連携情報記憶手段に保存されている機器コードを集合化する機器集合化手段と、
設備機器に対する保守計画情報を保存する設備保守計画情報記憶手段と、
入力された保守計画情報を前記機器集合化手段により集合化された機器コードに対応する設備機器に対する保守計画情報を一括して前記設備保守計画情報記憶手段に登録する設備保守計画情報登録手段とをさらに具備することを特徴とする請求項１に記載の設備保守業務支援装置。
【請求項３】
前記機能間連携情報記憶手段が複数設けられ、
各々の前記機能間連携情報記憶手段と作業グループごとのＩＤとを関連付けるＩＤ情報記憶手段をさらに具備し、
前記設備情報検索登録手段は、操作員から入力された作業グループＩＤに基づき、対応する前記機能間連携情報記憶手段から機器コードを読み出すことを特徴とする請求項１に記載の設備保守業務支援装置。
【発明の詳細な説明】
【０００１】
【産業上の利用分野】
本発明は、発電プラント等の大規模な設備機器に関する設備情報をデータベースに、図面の情報をイメージ情報保存媒体に保存し、保守業務の作業時間の短縮と業務の簡略化を支援する保守業務支援装置に関する。
【０００２】
【従来の技術】
従来の保守業務支援装置においては、設備情報の検索登録と図面の検索登録はそれぞれ独立した機能であるため、機器コード情報として同一のものを参照しているにもかかわらず、入力された機器コードは機能間で連携されていなかった。
【０００３】
【発明が解決しようとする課題】
従って、１つの機器に対する設備情報や図面データの検索時に、それぞれ検索条件の入力をしていたため、入力ミス等が発生しやすく、欲しい情報を得るのに時間がかかり、業務が煩雑になるという問題点があった。また、設備情報検索機能や設備図面検索機能により、装置レベル、機器レベル、部位レベル等、管理するレベルが異なっている場合は、検索時に異なるコードを入力しなければならないという問題があった。また更に、管理対象が複数の機器に及ぶ場合には、機器を複数登録する際に、その機器分のコードを入力しなければならないという問題があった。また更に、装置を複数のグループや操作員で共有する際には、グループ単位に使用する機器が予め決まっている場合でも、いちいちコードを入力しなければならないため、欲しい情報をすぐに取り出せない場合があるという問題があった。
【０００４】
本発明の目的は、これらの問題を解決するため、１つの機器に対する設備情報や図面データの検索時に、それぞれ検索条件を入力しなくてよく、管理レベルが異なる機能を使用するときでも、異なるコードを入力しなくてよく、管理対象が複数の機器におよぶ場合でも、複数のコードを入力しなくてよく、装置を複数のグループや操作員で共有する場合でも、グループ単位に欲しい情報がすぐに取り出すことのできる保守業務支援装置を提供し、保守業務における作業の簡略化を支援することにある。
【０００５】
【課題を解決するための手段】
上記目的を達成するために、請求項１に記載の発明においては、全体の設備機器が管理レベルの異なる複数の設備機器で構成され、個々の設備機器に対応するユニークなコード情報が、各々の管理レベルに対応する階層ごとのコードの１つ以上の組み合わせの形態で管理された機器コード記憶手段と、全体の設備機器に関する設備情報が、各管理レベルの中であらかじめ決められた第１の管理レベルの設備機器ごとの設備情報として保存されている設備情報記憶手段と、全体の設備機器に関する図面情報が各管理レベルの中であらかじめ決められた第２の管理レベルの設備機器ごとの図面情報として保存されている設備図面情報記憶手段と、設備情報の検索条件として前記階層ごとのコードを入力させる入力装置と、入力された階層ごとのコードをプッシュダウンスタック方式にて記憶・読み出し可能な機能間連携情報記憶手段と、機能間連携情報記憶手段から階層ごとのコードを読み出して第１の管理レベルに応じて組み合わせた機器コードに基づき、設備情報記憶手段から該当する設備情報を検索する設備情報検索登録手段と、機能間連携情報記憶手段から階層ごとのコードを読み出して第２の管理レベルに応じて組み合わせた機器コードに基づき、図面情報記憶手段から該当する図面情報を検索する設備図面検索登録手段とを具備することを特徴としている。
【０００６】
また、請求項２の発明においては、上記に加え、機能間連携情報記憶手段に保存されている機器コードを集合化する機器集合化手段と、設備機器に対する保守計画情報を保存する設備保守計画情報記憶手段と、入力された保守計画情報を機器集合化手段により集合化された機器コードに対応する設備機器に対する保守計画情報を一括して設備保守計画情報記憶手段に登録する設備保守計画情報登録手段とをさらに具備することを特徴とする。また更に、請求項３の発明においては、上記に加え、機能間連携情報記憶手段が複数設けられ、各々の機能間連携情報記憶手段と作業グループごとのＩＤとを関連付けるＩＤ情報記憶手段をさらに具備し、設備情報検索登録手段は、操作員から入力された作業グループＩＤに基づき、対応する機能間連携情報記憶手段から機器コードを読み出すことを特徴としている。
【０００８】
【作用】
前述の手段を備えることにより、請求項１の発明では、各階層レベルの情報を簡単に得ることができ、管理レベルの異なる機能間を容易に連携することが可能となる。
【０００９】
請求項２の発明では、複数の設備機器に対する保守計画情報を一括して設備保守計画情報記憶手段に登録することができる。
【００１０】
また、請求項３の発明においては、複数の作業グループの操作員で本装置を共有する場合の操作性が向上する。
【００１１】
【実施例】
以下、本発明の請求項１の発明の実施例を図面を参照して説明する。
【００１２】
図１は、本発明の保守業務支援装置の一実施例を示すもので、１は設備情報や設備図面を表示するための表示装置、２は設備情報や設備図面の検索時に、検索条件を入力するための入力装置、３は設備の情報を記憶するための設備情報記憶手段、４は設備情報記憶手段３より設備情報を検索するための設備情報検索登録手段、５は設備図面情報を記憶するための設備図面情報記憶手段、６は設備図面情報記憶手段５より設備図面を検索するための設備図面検索登録手段、７は設備情報と設備図面の機能間の連携を行う情報を記憶する機能間連携情報記憶手段、８は検索条件であるユニークなコードを保存する機器コード記憶手段、９は設備図面を保存する設備図面保存媒体を示す。
【００１３】
図１の実施例において、はじめに機器の設備情報を取得した後、続けて図面情報を取得する場合について説明する。設備情報検索登録手段４は、図２に示す検索条件入力画面に沿って、操作員が入力装置２より検索条件として入力したユニークな機器コードである“ＭＴＲ０００１”によって、図３に示すデータ構成の機器コード記憶手段８より機器名称を取得すると共に、入力された機器コード“ＭＴＲ０００１”が設備情報記憶手段３に存在するかどうかのチェックを行う。機器コードの存在チェック後、本機器コード“ＭＴＲ０００１”をキーにして、図４に示すデータ構成の設備情報記憶手段３より必要な設備情報を検索し、図５に示す設備情報検索結果を表示装置１に出力する。このとき、設備情報検索登録手段４は、機器コード“ＭＴＲ０００１”と機器名称をプッシュダウンスタック方式で、図６に示すデータ構成の機能間連携情報記憶手段７に記憶する。
【００１４】
続けて同一機器の図面情報を取得したい場合、操作員は、入力装置２より検索の要求を行う。但し、この時、操作員が検索条件である機器コード“ＭＴＲ０００１”を入力せずとも、設備図面検索登録手段６が機能間連携情報記憶手段７にプッシュダウンスタック方式で保存されている前回設備情報取得時の機器コード“ＭＴＲ０００１”を読みだして、設備図面情報記憶手段５より図面イメージの保存情報を取り出し、設備図面保存媒体９より図面イメージを検索し、表示装置１に図面イメージを表示する。
【００１５】
プッシュダウンスタック方式では、図７に示す様に設備情報検索登録手段４が最初に機器コード“ＭＴＲ０００１”を機能間連携情報記憶手段７に記憶し、次に機器コード“ＭＴＲ０００２”を機能間連携情報記憶手段７に記憶した場合、設備図面検索登録手段６は機能間連携情報記憶手段７から機器コードを読みだす際、最初に“ＭＴＲ０００２”の機器コードを読みだし、次に“ＭＴＲ０００１”の機器コードを読みだしてくる。従って、機能間連携情報記憶手段７より機器コードを読み出す際、新しく記憶されたものから順に読みだされることになる。
【００１６】
以上のように、この実施例においては、設備情報検索機能と設備図面検索機能の機能間で、検索条件となるユニークな機器コードを連携することによって、煩雑な検索条件の入力の回数を減らすことが出来る。また、プッシュダウンスタック方式で機器コードを記憶することにより、前回以前の機器コードも記憶されているため、頻繁に検索を行う機器については、検索条件となるユニークな機器コードを容易に選択することができる。
【００１７】
なお、この実施例においては、検索だけでなく登録機能にも連携可能であり、また、「設備情報」や「設備図面」の検索登録以外にも、「技術文書」、「標準点検内容」、「点検データ」、「設備診断」の検索登録など、他の業務にも応用可能である。
【００１８】
次に、請求項２の発明の実施例を、発電プラントを例にとって説明する。本実施例の基本的な構成は図１に示される請求項１の実施例の構成と同じであるが、機器コード記憶手段８と機能間連携情報記憶手段７の内部構成が異なっている。図８と図９は、この実施例における機器コード記憶手段８と機能間連携情報記憶手段７の概念図を示すもので、機器コードを階層１〜階層３の３階層に分割しており、またそれぞれに対応する設備機器名称を記憶している。例えば、表示装置１に図１０のような検索条件入力画面が表示されている時、設備情報を検索するために入力装置２から入力された機器コードが、「押込通風機用電動機」を表す、１階層目“Ａ”、２階層目“０１”、３階層目“ロ”の各コードであるとすると、機能間連携情報記憶手段７に記憶される内容は、“Ａ”の「ボイラ設備」、“Ａ０１”の「押込通風機設備」、“Ａ０１ロ”の「押込通風機用電動機」といった同一グループの３つの機器コードとなる。
【００１９】
設備図面が「押込通風機用電動機」つまり“Ａ０１ロ”の３階層目のレベルでは管理されておらず、「押込通風機」つまり“Ａ０１”の２階層目のレベルで管理されている場合、設備図面検索登録手段６が機能間連携情報記憶手段７から機器コードを読み込む際、“Ａ”、“Ａ０１”、“Ａ０１ロ”の同じグループの全ての機器コードを読み込み、適正管理レベル、即ち２階層目の情報である“Ａ０１”「押込通風機設備」というコードをキーにして設備図面を検索すれば良い。また反対に、設備図面を検索するために入力装置２から入力された機器コードが「押込通風機設備」を表す、１階層目“Ａ”、２階層目“０１”の各コードで、３階層目には何も入力されなかった場合、機能間連携情報記憶手段７には、“Ａ”の「ボイラ設備」、“Ａ０１”の「押込通風機設備」と、この２階層目までのコードをキーにして機器コード記憶手段８から読み込んできた“Ａ０１イ”「押込通風機用通風機」、“Ａ０１ロ”「押込通風機用電動機」の２つの機器コードを含め、合計４つの機器コードを同一グループとして記憶させる。
【００２０】
設備情報が「押込通風機設備」つまり“Ａ０１”の２階層目のレベルでは管理されておらず、「押込通風機本体」つまり“Ａ０１イ”や、「押込通風機用電動機」つまり“Ａ０１ロ”の３階層目のレベルで管理されている場合、設備情報検索登録手段４が機能間連携情報記憶手段７から機器コードを読み込む場合には、“Ａ”、“Ａ０１”、“Ａ０１イ”、“Ａ０１ロ”のように同じグループの全ての機器コードを読み込み、適正管理レベル、即ち３階層目の情報である“Ａ０１イ”「押込通風機本体」、または“Ａ０１ロ”「押込通風機用電動機」のどちらかを操作員に選択してもらい、選択された方のコードをキーにして設備情報を検索すれば良い。
【００２１】
このように、機器コードを階層化し、機能間連携情報記憶手段７に全階層情報を記憶させておくことにより、各階層レベルの情報を簡単に得られるため、管理レベルの異なる機能間を容易に連携することが可能となる。
【００２２】
なお、この実施例の場合も、検索だけでなく登録機能にも連携可能であり、また、「設備情報」や「設備図面」の検索登録以外にも、「技術文書」、「標準点検内容」、「点検データ」、「設備診断」の検索登録など、他の業務にも応用可能である。
【００２３】
次に、請求項３の発明の実施例を図面を参照して説明する。
【００２４】
図１１は本実施例の構成図を示すもので、請求項２の実施例に対して、機能間連携情報記憶手段７に保存されている機器コードをグルーピング化できる機器集合化手段１０と、設備機器に対する様々な保守計画情報を保存する設備保守計画情報記憶手段１１と、その保守計画情報の登録を行う設備保守計画情報登録手段１２を追加したものである。
【００２５】
このような構成の設備保守業務支援装置において、機器集合化手段１０は、複数の機器コードが記憶されている機能間連携情報記憶手段７から機器を複数検索し、表示装置１に一覧表示された中から操作員によって複数選択された機器に対し、機能間連携情報記憶手段７内の機器コード情報にグループ情報を書き加える。図１２は本実施例における機器集合化画面の表示例であり、図１３はグループ情報を書き加えた機能間連携情報記憶手段７の内容の一例である。
【００２６】
設備保守計画情報登録手段１２では、入力装置から入力された保守情報を、保守計画情報記憶手段１１に登録すると同時に、その保守情報に対し、保守対象機器を登録する必要があるが、それらの対象機器全てに対して機器コードを入力装置２から入力するのは大変である。そこで、設備保守計画情報登録手段１２では、機能間連携情報記憶手段７上の機器集合化手段１０によってグループ化された機器コードを一括で読み込み、それを保守対象機器として保守計画情報記憶手段１１に一括登録するようにしている。
【００２７】
したがって、設備情報や図面イメージ情報のように、１つの情報が単一機器を対象にする機能だけでなく、保守計画策定機能のように、１つの情報が複数機器を対象とする機能への連携も可能となる。
【００２８】
なお、本実施例は、図１４に示すように、集合化連携情報記憶手段１３を別に設け、集合化する際、機能間連携情報記憶手段７に情報を加えることに代え、集合化連携情報記憶手段１３に集合化した機器コードのみを保存するようにしてもよい。このように集合化連携情報記憶手段１３を別の記憶手段にすれば、さらなる機能間連携が可能となる。
【００２９】
次に、請求項４の発明の実施例を説明する。
【００３０】
図１５は本実施例の設備保守業務支援装置を示す。この実施例の基本的構成は図１に示した請求項１の実施例の構成と同じであるが、機能間連携情報記憶手段７が設備情報、設備図面の機能間の連携を行う情報を作業グループ別、または個人別に記憶するように構成されている点、および機能間連携情報記憶手段と作業グループＩＤを関連付けるＩＤ情報記憶手段１４が設けられている点で相違している。
【００３１】
このような構成の本実施例において、設備情報検索機能や設備図面検索機能を使用する際には、操作員は、入力装置２より操作員の作業グループのＩＤを入力する。本実施例では、機能間連携情報記憶手段７は作業グループ別に保持されており、作業グループのＩＤ毎に機能間連携情報を認識できるよう、図１６に示すように、関連付けをＩＤ情報記憶手段１４に記憶させてある。例えば、設備情報検索機能を使用する際に、作業グループＩＤ“Ａ０１”を入力した場合には、設備情報検索登録手段４はＩＤ情報記憶手段１４から“Ａ０１”という作業グループＩＤに関連している“Ｒ１”という機能間連携情報記憶手段識別子に基づき、“Ｒ１”に関する機能間連携情報記憶手段７のみから機器コードを読みだす。これによって、設備情報検索登録手段４や設備図面検索登録手段６は、複数ある機能間連携情報記憶手段７の中より、作業グループＩＤに合ったものを使用し、機器コードを読みだしてくる。なお、この場合、機能間連携情報記憶手段７に記憶されているユニークな機器コードは、前回、同一作業グループの操作員が本装置を使用した時のものである。
【００３２】
上述のように、本実施例によれば、機能間連携情報記憶手段７を作業グループ別に持つことにより、同一作業グループ内の操作員でユニークな機器コードを共有できるため、同一業務の操作が迅速に行える。また、他の作業グループとも別けてあるため、他の作業グループによって機能間連携情報記憶手段に記憶されている機器コードを書き換えられることがなく、必要な時に必要な情報を迅速に取り出すことが可能である。
【００３３】
なお、この実施例の場合も、検索だけではなく、登録機能にも連携可能であり、また、「設備情報」、「設備図面」の検索登録以外にも、「技術文書」、「標準点検内容」、「点検データ」、「設備診断」の検索登録など、他の業務にも応用可能である。
【００３４】
【発明の効果】
以上のように、本発明によれば、１つの機器に対する設備情報、図面データの検索時にそれぞれ検索条件を入力しなくてよく、また、管理レベルが異なる機能を検索するときに、異なるコードを入力しなくてよく、しかも、管理対象が複数の機器におよぶ場合、複数のコードを入力しなくてよく、また更に、装置を複数のグループや操作員で共有する場合でも、欲しい情報がすぐに取り出すことができるので、保守業務における作業の簡略化を支援することができる。
【図面の簡単な説明】
【図１】請求項１の発明による設備保守業務支援装置の実施例を示す構成図である。
【図２】請求項１の発明における設備情報検索条件入力画面の表示例である。
【図３】請求項１の発明における機器コード記憶手段のデータ構成を示す概念図である。
【図４】請求項１の発明における設備情報記憶手段のデータ構成を示す概念図である。
【図５】請求項１の発明における設備情報検索結果出力画面の表示例である。
【図６】請求項１の発明における機能間連携情報記憶手段のデータ構成を示す概念図である。
【図７】請求項１の発明による設備保守業務支援装置の関連図である。
【図８】請求項２の発明における機器コード記憶手段のデータ構成を示す概念図である。
【図９】請求項２の発明における機能間連携情報記憶手段のデータ構成を示す概念図である。
【図１０】請求項２の発明における設備情報検索条件入力画面の表示例である。
【図１１】請求項３の発明による設備保守業務支援装置の実施例を示す構成図である。
【図１２】請求項３の発明における機器集合化画面の表示例である。
【図１３】請求項３の発明におけるグループ情報を書き加えた機能間連携情報記憶手段のデータ構成を示す概念図である。
【図１４】請求項３の発明による設備保守業務支援装置の他の実施例を示す構成図である。
【図１５】請求項４の発明による設備保守業務支援装置の実施例を示す構成図である。
【図１６】請求項４の発明による設備保守業務支援装置の関連図である。
【符号の説明】
１………表示装置
２………入力装置
３………設備情報記憶手段
４………設備情報検索登録手段
５………設備図面情報記憶手段
６………設備図面検索登録手段
７………機能間連携情報記憶手段
８………機器コード記憶手段
９………設備図面保存媒体
１０………機器集合化手段
１１………設備保守計画情報記憶手段
１２………設備保守計画情報登録手段
１３………集合化連携情報記憶手段
１４………ＩＤ情報記憶手段。
【図１】
0003705622.tif 000002
【図２】
0003705622.tif 000003
【図３】
0003705622.tif 000004
【図４】
0003705622.tif 000005
【図５】
0003705622.tif 000006
【図６】
0003705622.tif 000007
【図７】
0003705622.tif 000008
【図８】
0003705622.tif 000009
【図９】
0003705622.tif 000010
【図１０】
0003705622.tif 000011
【図１１】
0003705622.tif 000012
【図１２】
0003705622.tif 000013
【図１３】
0003705622.tif 000014
【図１４】
0003705622.tif 000015
【図１５】
0003705622.tif 000016
【図１６】
0003705622.tif 000017